(57)【要約】【課題】後軸を前軸に対して回転させることで、軸筒内に配したカム斜面を有するカム部を回転し、筆記体に装着したカム係止突起をカム斜面に沿って移動し、カム斜面に設けた係止凹部にカム係止突起に設けた係止尖端部を係合し、筆記体の突出状態を維持してなる回転繰出式筆記具において、後軸を前軸に対して回転させた際に、係止尖端部が係止凹部に一旦係合した後に、勢い余って係止凹部から容易に離脱しないような構造の回転繰出式筆記具を得る。【解決手段】摺動体１９ａの係止尖端部２１をカム部６のカム斜面５の先端に設けた係止凹部２０の係合状態から離脱する際に、係止凹部２０の側壁部２４の内側壁面２４ａの外周側の近傍で当接するように、係止凹部２０の内側壁面２４ａを、カム部の外周からカム部６の内周側に向かうにしたがって、係止凹部２０の内側壁面２４ａ間の離間距離が拡がるように設ける。【選択図】図４
2010005978.tif 000002
【特許請求の範囲】
【請求項１】
軸筒を互いに回転可能に連設した前軸と後軸とで構成し、後軸内に後軸と一体または別部材で形成したカム斜面を有する円筒状のカム部を配し、軸筒内に、筆記体を収容する１つまたは複数の筆記体収容溝を有した筆記体摺動用ケースを、後軸に連動して回転や前後に移動することのないように前軸に連接して配設し、筆記体収容溝に、後端にカム係止突起を設けた摺動体を装着した筆記体を、ばねとともに装着して前軸の先端開口部と反対側の後方に付勢してカム係止突起をカム部のカム斜面に当接して収容し、後軸を前軸に対して回転することにより後軸に連動してカム部が筆記体摺動用ケースに対して回転し、カム係止突起がカム斜面に沿って前後動することで筆記体が軸筒内を前後動して筆記先端部を前軸の先端開口部より出没し、カム斜面の先端に設けた係止凹部に、カム係止突起における係止尖端部を係合することで、筆記体の突出状態を維持してなる回転繰出式筆記具において、前記係止尖端部が前記係止凹部に係合した状態から離脱する際に、係止尖端部が係止凹部を構成する側壁部の内側壁面の外周側の近傍で当接するように、前記係止凹部を形成したことを特徴とする回転繰出式筆記具。
【請求項２】
前記係止凹部を構成する側壁部の内側壁面を、カム部の外周から内周側に向かうにしたがって、内側壁面間の離間距離が拡がるように設けた、請求項１に記載の回転繰出式筆記具。
【請求項３】
前記係止凹部の側壁部の内周側の内側壁面に、切欠部を形成してなる、請求項１に記載の回転繰出式筆記具。
【請求項４】
前記係止凹部を構成する側壁部を、カム部の外周から内周側に向かうにしたがって、長手方向においてカム部の後方に傾斜させて設けた、請求項１に記載の回転繰出式筆記具。
【発明の詳細な説明】
【技術分野】
【０００１】
本発明は、回転繰出式筆記具に関するものである。
【背景技術】
【０００２】
従来、軸筒を互いに回転可能に連設した前軸と後軸とで構成し、後軸内に後軸と一体または別部材で形成したカム斜面を有する円筒状のカム部を配し、軸筒内に、筆記体を収容する１つまたは複数の筆記体収容溝を有した筆記体摺動用ケースを、後軸に連動して回転や前後に移動することのないように前軸に連接して配設し、筆記体収容溝に、後端にカム係止突起を設けた摺動体を装着した筆記体を、ばねとともに装着して前軸の先端開口部と反対側の後方に付勢してカム係止突起をカム部のカム斜面に当接して収容し、後軸を前軸に対して回転することにより後軸に連動してカム部が筆記体摺動用ケースに対して回転し、カム係止突起がカム斜面に沿って前後動することで筆記体が軸筒内を前後動して筆記先端部を前軸の先端開口部より出没し、カム斜面の先端に設けた係止凹部に、カム係止突起における係止尖端部を係合することで、筆記体の突出状態を維持してなる回転繰出式筆記具は、知られている。
【０００３】
前記回転繰出式筆記具における繰出機構について図を用いて簡単に説明するが、筆記体としてボールペンユニットとシャープペンシルユニットを軸筒内に収容した回転繰出式筆記具を例にあげて説明する。図１〜図３および図９に示すように、一般的に回転繰出式筆記具１は、軸筒２が前軸３と後軸４とで構成されている。説明においては、便宜上、前軸３が前筒３ａと後筒３ｂで構成され、前筒に固着した継手金輪と後筒とを螺着することで（図示せず）、前筒３ａと後筒３ｂとを着脱自在に設けた構造として説明する。
【０００４】
後軸４の内壁面には、後軸４とは別体で形成した回転カム筒を装着したものもあるが、本説明においては、図１に示すように、後軸４の内壁面に、先端（図１において左側）にカム斜面５を有したカム部６を一体に形成して設けた構造としてある。カム部６の後方（図１において右側方向）の後軸４の内壁面は、カム部６の内径と同一形状の内径としてあり、その後軸４の内壁面に、内側に向かって突出し、長手方向に帯状に延びたストパー用突起７を設けてある。該ストッパー用突起７の先端より後方の位置の後軸４の内壁面には、ストッパー用突起７の突出量より大きな突出量で内側に突出したリング状の嵌合突起８を設けてある。
【０００５】
筆記体収容溝９ａ、９ｂを有する収容部１０と該収容部１０の外径より小径な頭端部１１とで構成された筆記体摺動用ケース１２（図２を参照）を、前軸３の後筒３ｂと一体に形成して設けてあり、筆記体摺動用ケース１２は後軸４に連動して回転や前後に移動することがない。筆記体摺動用ケース１２の頭端部１１と収容部１０との間には凹部１３を形成してあり、該凹部１３に前記嵌合突起８を頭端部１１に当接させて挿入してあり、後軸４は前軸３から離脱することなく前軸３の後筒３ｂに対して前進可能に連接している。筆記体摺動用ケース１２の収容部１０には、前記ストッパー用突起７が嵌合可能な嵌合溝１４を設けてあり、後軸４を前軸３に対して回転させてストッパー用突起７が前記嵌合溝１４に対向したときのみ、後軸４は前軸３に対してさらに前進可能としてある。
【０００６】
筆記体摺動用ケース１２の筆記体収容溝９ａにはシャープペンシルユニット１５が、筆記体収容溝９ｂにはボールペンユニット１６が、コイルスプリング１７を介して後方（図１において右側方向）に付勢して収容してある。シャープペンシルユニット１５とボールペンユニット１６の各々の後端部には、カム係止突起１８ａ、１８ｂを有した摺動体１９ａ、１９ｂが連接して設けてあり、カム係止突起１８ａ、１８ｂを前記カム部６のカム斜面５に当接させてある。
【０００７】
図３は、カム部のカム斜面の展開概略図であるが、カム斜面５の先端部には係止凹部２０を設けてあり、摺動体１９のカム係止突起１８は、後方（図３において右側方向）が略三角形状としてあり、尖端部が前記係止凹部２０に係合可能な係止尖端部２１としてある。後軸４を前軸３に対して回転すると、後軸４に連動してカム部６も回転し、カム部６のカム斜面５に当接した各摺動体１９ａ、１９ｂに設けたカム係止突起１８ａ、１８ｂが、カム斜面５に沿って前後動し、一方の摺動体１９ａのカム突起１８ａの係止尖端部２１がカム部６の係止凹部２０に係合することで、図１に示すように、シャープペンシルユニット１５の筆記先端部１５ａを前軸３の前筒３ｂの先端開口部２２から突出してその状態を維持する。
【０００８】
後軸４を前軸３に対してさらに回転すると、係止尖端部２１は係止凹部２０より離脱し、カム係止突起１８ａはカム斜面５に沿って後退し、図３において、２点差線で示したような位置に位置するとともに、ボールペンユニット１６の摺動体１９ｂのカム係止突起１８ｂが、図示していないが、係止尖端部２１を係止凹部２０に係合し、ボールペンユニット１６の筆記先端部１６ａを前軸３の前筒３ａの先端開口部２２から突出してその状態を維持する。
【０００９】
ところで従来、カム部６の係止凹部２０は、図９に示すように、係止凹部２０を構成する側壁部２４の内側壁面２４ａと外側壁面２４ｂが円筒状のカム部６の中心点Ｐに向かって形成されている。これに対し係止尖端部２１の両側壁面２１ａ、２１ｂは、互いに平行にかつカム部６の中心点Ｐに対して垂直方向に立面して形成してある。そのために、係止尖端部２１が係止凹部２０に係合した状態から離脱する際には、係止尖端部２１の側壁面２１ａまたは側壁面２１ｂが係止凹部２０の内側壁面２４ａの内周側の縁部２４ａａに当接していた。
【００１０】
従来、前記したような構造の回転繰出式筆記具においては、後軸を前軸に対して回転させて、軸筒内に収容した筆記体の筆記先端部を軸筒の先端開口部より突出させる際に、回転力が大きいと、筆記体に設けた摺動体のカム係止突起の係止尖端部がカム部のカム斜面の先端に設けた係止凹部に一旦は係合するが、勢い余って係止尖端部が係止凹部から離脱して、カム係止突起がカム斜面に移動して、筆記体の筆記先端部が軸筒の先端開口部より没入してしまうという問題があった。
【００１１】
前記問題を解決するには、係止凹部へのカム係止突起の係止尖端部の係合量（図３においてＨの寸法）を多くすれば解決できるが、反面、係止尖端部が係止凹部に係合する際に、係止凹部の外側壁面を乗越える際の衝撃が手に伝わったり、作動音がしたりして操作感が悪くなるという問題が生じてしまう。
【００１２】
こうした、カム部の回転にともない摺動体のカム係止突起がカム部のカム斜面に沿って移動する構造において、回転操作がスムーズにいくようにカム係止突起とカム斜面の接触部の摩擦抵抗を減少させることを目的とする考案が、実公平４−４２１５３号「複式筆記具」公報により開示されている。本考案に開示されている技術は、従来は円筒カム（本願発明のカム部６）１４´のカム斜面１３´の角張った内縁点β´と摺動コマ（本願発明の摺動体１９）７´の突出部（本願発明のカム係止突起１８）２４´の傾斜した後端面２５´がくい込み合って接触し滑らかな滑りが生せずガイド筒（本願発明の筆記体摺動用ケース１２）５´に対する円筒カム１４´の回転が損なわれ重くなる傾向にあるという問題を解決するために（公報の第３頁の第５欄第２７行目〜３２行目に記載）、「円筒カムのカム斜面における任意の位置の外縁点と同一位相にある内縁点とを結ぶ線を、その外縁点と円筒カムの中心点とを結ぶ線に対しθ１  ゜だけ内側に傾け、且つ、円筒カムが接触する各摺動コマの突出部の傾斜した後端面と、その後端面の外縁点と円筒カムの中心とを結ぶ線となす角度を上記のθ１  に対し略同一に設定する。」と、いうものである。前記考案は回転操作がスムーズなるようにしたものである。
【特許文献１】実公平４−４２１５３号公報
【発明の開示】
【発明が解決しようとする課題】
【００１３】
本発明は前記事実に鑑み、軸筒を互いに回転可能に連設した前軸と後軸とで構成し、後軸内に後軸と一体または別部材で形成したカム斜面を有する円筒状のカム部を配し、軸筒内に、筆記体を収容する１つまたは複数の筆記体収容溝を有した筆記体摺動用ケースを、後軸に連動して回転や前後に移動することのないように前軸に連接して配設し、筆記体収容溝に、後端にカム係止突起を設けた摺動体を装着した筆記体を、ばねとともに装着して前軸の先端開口部と反対側の後方に付勢してカム係止突起をカム部のカム斜面に当接して収容し、後軸を前軸に対して回転することにより後軸に連動してカム部が筆記体摺動用ケースに対して回転し、カム係止突起がカム斜面に沿って前後動することで筆記体が軸筒内を前後動して筆記先端部を前軸の先端開口部より出没し、カム斜面の先端に設けた係止凹部に、カム係止突起における係止尖端部を係合することで、筆記体の突出状態を維持してなる回転繰出式筆記具において、後軸を前軸に対して回転させて、軸筒内に収容した筆記体の筆記先端部を軸筒の先端開口部より突出させる際に、筆記体に設けた摺動体のカム係止突起の係止尖端部がカム部のカム斜面の先端に設けた係止凹部に一旦は係合したものの、勢い余ってさらに回転して係止尖端部が係止凹部から容易に離脱し、カム係止突起がカム斜面に移動しないような構造を有した回転繰出式筆記具を得るものである。
【課題を解決するための手段】
【００１４】
本発明は、
「１．軸筒を互いに回転可能に連設した前軸と後軸とで構成し、後軸内に後軸と一体または別部材で形成したカム斜面を有する円筒状のカム部を配し、軸筒内に、筆記体を収容する１つまたは複数の筆記体収容溝を有した筆記体摺動用ケースを、後軸に連動して回転や前後に移動することのないように前軸に連接して配設し、筆記体収容溝に、後端にカム係止突起を設けた摺動体を装着した筆記体を、ばねとともに装着して前軸の先端開口部と反対側の後方に付勢してカム係止突起をカム部のカム斜面に当接して収容し、後軸を前軸に対して回転することにより後軸に連動してカム部が筆記体摺動用ケースに対して回転し、カム係止突起がカム斜面に沿って前後動することで筆記体が軸筒内を前後動して筆記先端部を前軸の先端開口部より出没し、カム斜面の先端に設けた係止凹部に、カム係止突起における係止尖端部を係合することで、筆記体の突出状態を維持してなる回転繰出式筆記具において、前記係止尖端部が前記係止凹部に係合した状態から離脱する際に、係止尖端部が係止凹部を構成する側壁部の内側壁面の外周側の近傍で当接するように、前記係止凹部を形成したことを特徴とする回転繰出式筆記具。
２．前記係止凹部を構成する側壁部の内側壁面を、カム部の外周から内周側に向かうにしたがって、内側壁面間の離間距離が拡がるように設けた、前記１項に記載の回転繰出式筆記具。
３．前記係止凹部の側壁部の内周側の内側壁面に、切欠部を形成してなる、前記１項に記載の回転繰出式筆記具。
４．前記係止凹部を構成する側壁部を、カム部の外周から内周側に向かうにしたがって、長手方向においてカム部の後方に傾斜させて設けた、前記１項に記載の回転繰出式筆記具。」
である。
【発明の効果】
【００１５】
本発明の回転式繰出式筆記具は前記したような構造なので、後軸を前軸に対して回転させて、軸筒内に収容した筆記体の筆記先端部を軸筒の先端開口部より突出させる際に、筆記体に設けた摺動体のカム係止突起の係止尖端部がカム部のカム斜面の先端に設けた係止凹部に係合すると、さらに回転して係止尖端部が係止凹部から離脱する際には、従来よりは大きな回転トルクを必要とするので、従来のように容易に係止尖端部が係止凹部から離脱することがなく、カム係止突起がカム斜面に移動し難い。
【発明を実施するための最良の形態】
【００１６】
本発明の回転繰出式筆記具は、従来より知られている、後軸を前軸に対して回転させることで、軸筒内に配したカム斜面を有するカム部を回転し、筆記体に装着したカム係止突起をカム斜面に沿って移動し、カム斜面に設けた係止凹部にカム係止突起に設けた係止尖端部を係合し、筆記体の突出状態を維持してなる回転繰出式筆記具において、カム係止突起の係止尖端部がカム部のカム斜面の先端に設けた係止凹部に係合し、係止尖端部が係止凹部より離脱する際に、係止尖端部が係止凹部を構成する内側の側壁面のカム部の外周側の近傍で当接するように、係止凹部を形成する。
【実施例】
【００１７】
本発明の実施例を図面を用いて説明する。本実施例では、軸筒内にシャープペンシルユニットとボールペンユニットを収容した回転繰出式筆記具として説明するが、本発明はこれに限定されるものではない。図中、同じ部材、同じ箇所を示す場合は、同じ符号を付してある。図１は、本発明の実施例の回転繰出式筆記具を示し、一部断面を省略した回転繰出式筆記具の縦断面図である。図２は、図１における筆記体摺動用ケースの要部の拡大平面図である。図３は、図１におけるカム部のカム斜面の展開概略図である。図４は、第１の実施例を示す、図１におけるＡ−Ａ線部分の拡大横断面図である。図５は、第２の実施例を示す、図１におけるＡ−Ａ線部分の拡大横断面図である。図６は、図５におけるカム部の係止凹部の要部を示した拡大縦断面図である。図７は、第３の実施例を示す、図１におけるＡ−Ａ線部分の拡大横断面図である。図８は、図７におけるカム部の係止凹部の要部を示した拡大縦断面図である。図９は、従来の回転繰出式筆記具を示す、図１におけるＡ−Ａ線部分の拡大横断面図である。
【００１８】
本実施例の回転繰出式筆記具１は、図１〜図３に示すように、従来の回転繰出式筆記具と同様な繰出機構を有した構造であり、軸筒２が前軸３と後軸４とで構成されている。前軸３は前筒３ａと後筒３ｂで構成されており、前筒に固着した継手金輪後筒とを螺着することで（図示せず）、前筒３ａと後筒３ｂとを着脱自在に設けてある。
【００１９】
後軸４の内壁面には、先端（図１において左側）にカム斜面５を有したカム部６を一体に形成して設けてある。カム部６の後方（図１において右側方向）の後軸４の内壁面は、カム部６の内径と同一形状の内径としてあり、その後軸４の内壁面に、内側に向かって突出し、長手方向に帯状に延びたストパー用突起７を設けてある。該ストッパー用突起７の先端より後方の位置の後軸４の内壁面には、ストッパー用突起７の突出量より大きな突出量で内側に突出したリング状の嵌合突起８を設けてある。
【００２０】
筆記体収容溝９ａ、９ｂを有する収容部１０と該収容部１０の外径より小径な頭端部１１とで構成された筆記体摺動用ケース１２（図２を参照）を、前軸３の後筒３ｂと一体に形成して設けてあり、筆記体摺動用ケース１２は後軸４に連動して回転や前後に移動することがない。筆記体摺動用ケース１２の頭端部１１と収容部１０との間には凹部１３を形成してあり、該凹部１３に前記嵌合突起８を頭端部１１に当接させて挿入してあり、後軸４は前軸３から離脱することなく前軸３の後筒３ｂに対して前進可能に連接している。筆記体摺動用ケース１２の収容部１０には、前記ストッパー用突起７が嵌合可能な嵌合溝１４を設けてあり、後軸４を前軸３に対して回転させてストッパー用突起７が前記嵌合溝１４に対向したときのみ、後軸４は前軸３に対してさらに前進可能としてある。
【００２１】
筆記体摺動用ケース１２の筆記体収容溝９ａにはシャープペンシルユニット１５が、筆記体収容溝９ｂにはボールペンユニット１６が、コイルスプリング１７を介して後方（図１において右側方向）に付勢して収容してある。シャープペンシルユニット１５とボールペンユニット１６の各々の後端部には、カム係止突起１８ａ、１８ｂを有した摺動体１９ａ、１９ｂが連接して設けてあり、カム係止突起１８ａ、１８ｂを前記カム部６のカム斜面５に当接させてある。
【００２２】
従来の回転繰出式筆記具と同様に、カム斜面５の先端部には係止凹部２０を設けてあり、摺動体１９のカム係止突起１８は、後方（図３において右側方向）が略三角形状としてあり、尖端部が前記係止凹部２０に係合可能な係止尖端部２１としてある。後軸４を前軸３に対して回転すると、後軸４に連動してカム部６も回転し、カム部６のカム斜面５に当接した各摺動体１９ａ、１９ｂに設けたカム係止突起１８ａ、１８ｂが、カム斜面５に沿って前後動し、一方の摺動体１９ａのカム突起１８ａの係止尖端部２１がカム部６の係止凹部２０に係合することで、図１に示すように、シャープペンシルユニット１５の先端部１５ａを前軸３の先端開口部２２から突出してその状態を維持する。
【００２３】
後軸４を前軸３に対してさらに回転すると、係止尖端部２１ａは係止凹部２０より離脱し、カム係止突起１８ａはカム斜面５に沿って後退し、図３において、２点差線で示したような位置に位置するとともに、ボールペンユニット１６の摺動体１９ｂのカム係止突起１８ｂが、図示していないが、係止尖端部２１を係止凹部２０に係合し、ボールペンユニット１６の筆記先端部１６ａを前軸３の前筒３ａの先端開口部２２から突出してその状態を維持する。なお、符号２３は、消しゴムである。
【００２４】
本発明の第１の実施例における新たな構造は、図４に示すように、後軸４を前軸３に対して回転し、摺動体１９ａの係止尖端部２１をカム部６のカム斜面５の先端に設けた係止凹部２０の係合状態から離脱する際に、係止凹部２０の側壁部２４の内側壁面２４ａの外周側の近傍で当接するように、係止凹部２０の内側壁面２４ａを、カム部の外周からカム部６の内周側に向かうにしたがって、係止凹部２０の内側壁面２４ａ間の離間距離が拡がるように設けてある。
【００２５】
図５および図６に示す本発明の第２の実施例は、後軸４を前軸３に対して回転し、摺動体１９ａの係止尖端部２１をカム部６のカム斜面５の先端に設けた係止凹部２０の係合状態から離脱する際に、係止凹部２０の側壁部２４の内側壁面２４ａの外周側の近傍で当接するように、前記係止凹部２０の側壁部２４の内周側の内側壁面２４ａに切欠部２５を設けたものである。図示していないが、側壁部２４の内周側の部分の全体を切欠いても良い。
【００２６】
図７および図８に示す本発明の第３の実施例は、後軸４を前軸３に対して回転し、摺動体１９ａの係止尖端部２１をカム部６のカム斜面５の先端に設けた係止凹部２０の係合状態から離脱する際に、係止凹部２０の側壁部２４の内側壁面２４ａの外周側の近傍で当接するように、係止凹部２０を構成する側壁部２４を、カム部６の外周から内周側に向かうにしたがって、長手方向においてカム部６の後方に傾斜させて設けてある（図８を参照）。
【００２７】
前記した第１〜第３の実施例の回転繰出式筆記具１においては、後軸４を前軸３に対して回転して、軸筒２内に収容したシャープペンシルユニット１５またはボールペンユニット１６の筆記先端部１５ａまたは１６ａを前軸３の前筒３ａの先端開口部２２より突出させる際に、シャープペンシルユニット１５またはボールペンユニット１６に設けた摺動体１９ａまたは１９ｂのカム係止突起１８ａまたは１８ｂの係止尖端部２１がカム部６のカム斜面５の先端に設けた係止凹部２０に係合するが、勢い余って前記係止尖端部２１が係止凹部２０から離脱しようとするときは、係止尖端部２１が係止凹部２０を構成する側壁部２４の内側壁面２４ａの外周側の近傍で当接するので、離脱するには従来の構造のものより大きな回転トルクが必要となり、従来構造のものに比べて容易に係止尖端部２１が係止凹部２０より離脱し難い。
【産業上の利用可能性】
【００２８】
回転する一方の部材に設けた係止尖端部を、回転する他方の部材に設けた係止凹部に、他方の部材を一方の部材に対して回転させることで一旦係合し、さらに回転することにより、前記係止尖端部を係止凹部から離脱させる際に、離脱させる際に必要な他方の部材を一方の部材に対して回転させるのに必要なトルクを大きくしたい場合に利用することができる。
【図面の簡単な説明】
【００２９】
【図１】本発明の実施例の回転繰出式筆記具を示し、一部断面を省略した回転繰出式筆記具の縦断面図である。
【図２】図１における筆記体摺動用ケースの拡大平面図である。
【図３】図１におけるカム部のカム斜面の展開概略図である。
【図４】第１の実施例を示す、図１におけるＡ−Ａ線部分の拡大横断面図である。
【図５】第２の実施例を示す、図１におけるＡ−Ａ線部分の拡大横断面図である。
【図６】図５におけるカム部の係止凹部の要部を示した拡大縦断面図である。
【図７】第３の実施例を示す、図１におけるＡ−Ａ線部分の拡大横断面図である。
【図８】図７におけるカム部の係止凹部の要部を示した拡大縦断面図である。
【図９】従来の回転繰出式筆記具を示す、図１におけるＡ−Ａ線部分の拡大横断面図である。
【符号の説明】
【００３０】
１  回転繰出式筆記具
２  軸筒
３  前軸
４  後軸
５  カム斜面
６  カム部
９  筆記体収容溝
１２  筆記体摺動用ケース
１８  カム係止突起
１９  摺動体
２０  係止凹部
２１  係止尖端部
２２  先端開口部
２４  側壁部
２４ａ  内側壁面
２５  切欠部
【図１】
2010005978.tif 000003
【図２】
2010005978.tif 000004
【図３】
2010005978.tif 000005
【図４】
2010005978.tif 000006
【図５】
2010005978.tif 000007
【図６】
2010005978.tif 000008
【図７】
2010005978.tif 000009
【図８】
2010005978.tif 000010
【図９】
2010005978.tif 000011